(57)【要約】【課題】流量センサが上向きに設けられる場合であっても、水抜きを支障なく行う。【解決手段】風呂給湯器１には、給湯回路に設けられて水抜き栓８を備えた出湯管３と、外部の浴槽に繋がる風呂回路の配管との間に、出湯管３からの湯を浴槽へ供給するための落とし込み管５が接続されると共に、落とし込み管５は、筐体２内で出湯管３に対して上向きに配設されて、落とし込み管５内に、通過した流量を検出するための流量センサ１３が設けられ、落とし込み管５内で流量センサ１３の入口２９には、入口２９より上流側に突出し、水抜き栓８の開栓による出湯管３からの水抜きの際に入口２９での水の貯留を防止する筒部２３を備えた水抜きガイド２１が設けられている。【選択図】図２
2019023531.tif 000002
【特許請求の範囲】
【請求項１】
給湯回路に設けられて水抜き栓を備えた出湯管と、外部の浴槽に繋がる風呂回路の配管との間に、前記出湯管からの湯を前記浴槽へ供給するための落とし込み管が接続されると共に、前記落とし込み管は、筐体内で前記出湯管に対して上向きに配設されて、前記落とし込み管内に、通過した流量を検出するための流量センサが設けられた風呂給湯器であって、
前記落とし込み管内で前記流量センサの入口に、前記入口より上流側に突出し、前記水抜き栓の開栓による前記出湯管からの水抜きの際に前記入口での水の貯留を防止する水ガイド部が設けられていることを特徴とする風呂給湯器。
【請求項２】
前記水ガイド部には、前記流量センサへの湯の流れを整流する整流部が併設されていることを特徴とする請求項１に記載の風呂給湯器。
【請求項３】
前記水ガイド部は、前記流量センサの中心と同軸で形成された筒部であることを特徴とする請求項１又は２に記載の風呂給湯器。
【請求項４】
前記整流部は、前記筒部から放射状に形成された複数の整流板であることを特徴とする請求項３に記載の風呂給湯器。
【請求項５】
前記水ガイド部は、前記流量センサの中心との同軸位置を中心として放射状に形成された複数の羽根であることを特徴とする請求項１又は２に記載の風呂給湯器。
【請求項６】
前記整流部は、前記羽根の基端から各前記羽根と同じ位相で放射状に形成された複数の整流板であることを特徴とする請求項５に記載の風呂給湯器。
【発明の詳細な説明】
【技術分野】
【０００１】
本発明は、給湯回路と風呂回路とを筐体内に併設した風呂給湯器に関する。
【背景技術】
【０００２】
風呂給湯器は、特許文献１に例示されるように、給湯熱交換器と、給湯熱交換器を加熱する給湯バーナと、給湯熱交換器を通過した湯を出湯する出湯管とを含んでなる給湯回路と、風呂熱交換器と、風呂熱交換器を加熱する風呂バーナと、風呂熱交換器と外部の浴槽との間に接続される戻り配管及び往き配管とを含んでなる風呂回路と、を備え、出湯管と戻り配管とを落とし込み管を介して接続し、落とし込み管に設けた電磁弁の開弁動作により、出湯回路で加熱された湯を浴槽へ供給可能としている。また、落とし込み管には、流量センサが設けられて、流量センサでカウントされる流量が所定値に達すると、コントローラが電磁弁を閉弁動作させて湯張りを終了させるようになっている。
【先行技術文献】
【特許文献】
【０００３】
【特許文献１】特開２０１３−１７０７９４号公報
【発明の概要】
【発明が解決しようとする課題】
【０００４】
近年、風呂給湯器の筐体をコンパクト化するために、出湯管に接続される落とし込み管を筐体内で上向きに配設する場合がある。
一方、冬季には、凍結防止のため、筐体の下面に設けられる出湯口の水抜き栓を外して水抜きを行うことがある。この場合、出湯管に接続される上下方向の落とし込み管内の水も排出されることになるが、落とし込み管内で出湯管近くに位置する流量センサの入口に表面張力によって水の膜が生成されると、空気が上側に進入できず、水抜きがうまく行えないことがあった。
【０００５】
そこで、本発明は、流量センサが上向きに設けられる場合であっても、水抜きを支障なく行うことができる風呂給湯器を提供することを目的としたものである。
【課題を解決するための手段】
【０００６】
上記目的を達成するために、請求項１に記載の発明は、給湯回路に設けられて水抜き栓を備えた出湯管と、外部の浴槽に繋がる風呂回路の配管との間に、出湯管からの湯を浴槽へ供給するための落とし込み管が接続されると共に、落とし込み管は、筐体内で出湯管に対して上向きに配設されて、落とし込み管内に、通過した流量を検出するための流量センサが設けられた風呂給湯器であって、
落とし込み管内で流量センサの入口に、入口より上流側に突出し、水抜き栓の開栓による出湯管からの水抜きの際に入口での水の貯留を防止する水ガイド部が設けられていることを特徴とする。
請求項２に記載の発明は、請求項１の構成において、水ガイド部には、流量センサへの湯の流れを整流する整流部が併設されていることを特徴とする。
請求項３に記載の発明は、請求項１又は２の構成において、水ガイド部は、流量センサの中心と同軸で形成された筒部であることを特徴とする。
請求項４に記載の発明は、請求項３の構成において、整流部は、筒部から放射状に形成された複数の整流板であることを特徴とする。
請求項５に記載の発明は、請求項１又は２の構成において、水ガイド部は、流量センサの中心との同軸位置を中心として放射状に形成された複数の羽根であることを特徴とする。
請求項６に記載の発明は、請求項５の構成において、整流部は、羽根の基端から各羽根と同じ位相で放射状に形成された複数の整流板であることを特徴とする。
【発明の効果】
【０００７】
請求項１に記載の発明によれば、流量センサの入口に水の貯留を防止する水ガイド部を設けたことで、流量センサが上向きに設けられる場合であっても、水抜きを支障なく行うことができる。
請求項２に記載の発明によれば、請求項１の効果に加えて、水ガイド部に、流量センサへの湯の流れを整流する整流部が併設されているので、水ガイド部を設けても流量センサへの湯の流れを乱すことがない。
請求項３に記載の発明によれば、請求項１又は２の効果に加えて、水ガイド部を、流量センサの中心と同軸で形成された筒部としているので、簡単な構造で水ガイド部を得ることができる。
請求項４に記載の発明によれば、請求項３の効果に加えて、整流部を、筒部から放射状に形成された複数の整流板としているので、筒部を中心とした湯の流れの整流を好適に行うことができる。
請求項５に記載の発明によれば、請求項１又は２の効果に加えて、水ガイド部を、流量センサの中心との同軸位置を中心として放射状に形成された複数の羽根としているので、羽根による整流作用も得ることができる。
請求項６に記載の発明によれば、請求項５の効果に加えて、整流部を、羽根の基端から各羽根と同じ位相で放射状に形成された整流板としているので、整流板と合わせてより良好な整流作用を得ることができる。
【図面の簡単な説明】
【０００８】
【図１】風呂給湯器の筐体内の一部を示す説明図である。
【図２】図１のＡ−Ａ線断面図である。
【図３】センサ管の下方からの斜視図である。
【図４】水抜きガイドの説明図で、（Ａ）は上方からの斜視、（Ｂ）は下方からの斜視をそれぞれ示す。
【図５】水抜きガイドを組み付けたセンサ管の下方からの斜視図である。
【図６】変更例の水抜きガイドを用いた図２に相当する断面図である。
【図７】変更例の水抜きガイドの説明図で、（Ａ）は上方からの斜視、（Ｂ）は下方からの斜視をそれぞれ示す。
【図８】変更例の水抜きガイドを組み付けたセンサ管の下方からの斜視図である。
【発明を実施するための形態】
【０００９】
以下、本発明の実施の形態を図面に基づいて説明する。
図１は、風呂給湯器の一例であって、その筐体内の一部を示す説明図、図２はＡ−Ａ線断面図である。
この風呂給湯器１は、筐体２内に、給湯熱交換器と、給湯熱交換器を加熱する給湯バーナと、給湯熱交換器を通過した湯を出湯する出湯管とを含んでなる給湯回路を備えると共に、風呂熱交換器と、風呂熱交換器を加熱する風呂バーナと、風呂熱交換器と外部の浴槽との間に接続される戻り配管及び往き配管とを含んでなる風呂回路を備え、出湯管と戻り配管とを落とし込み管を介して接続し、落とし込み管に設けた電磁弁の開弁動作により、出湯回路で加熱された湯を浴槽へ供給可能とした周知の構成である。
【００１０】
図１，２では、給湯回路の出湯管３と、接続部４を介して出湯管３に上流端が接続されて風呂回路の戻り配管に接続される落とし込み管５とが示されている。６は、接続部４に設けられた流量制御弁、７は、筐体２の下面に設けられ、外部の給湯栓へ繋がる外部配管を出湯管３に接続する出湯口で、ここに水抜き栓８が設けられている。
【００１１】
落とし込み管５内において、流量制御弁６より下流側には、落とし込み管５の一部を形成するセンサ管９が設けられて、センサ管９の下端に、接続部４の分岐管１０が内挿され、センサ管９の上端に、落とし込み管５の下流側配管１１が内挿されて、それぞれクリップ１２，１２によって固定されている。
このセンサ管９内に、落とし込み管５への流量を検出する流量センサ１３が設けられている。流量センサ１３は、図３にも示すように、センサ管９内に保持される長筒状の本体ケース１４と、本体ケース１４の下部（上流側）に組み付けられる短筒状の入側ケース１５と、本体ケース１４と入側ケース１５とにそれぞれ設けられた軸受部１６，１７へ回転可能に支持され、プラスチックマグネットで形成された羽根車１８とを備えている。入側ケース１５には、軸受部１７を中心とした放射状に固定羽根１９，１９・・が設けられている。センサ管９には、羽根車１８の回転を検出する検出素子を搭載したセンサ基板２０が設けられている。
【００１２】
そして、センサ管９内で流量センサ１３の下側（上流側）には、水抜きガイド２１が設けられている。この水抜きガイド２１は、樹脂製で、図４にも示すように、外径が流量センサ１３の入側ケース１５よりやや大径となる支持リング２２と、その支持リング２２の中心に配置されて支持リング２２よりも下方へ延びる水ガイド部としての筒部２３と、支持リング２２と筒部２３とを放射状に接続する整流部としての整流板２４，２４・・とを備えている。筒部２３は、入側ケース１５の軸受部１７よりも大きい内径を有し、支持リング２２の外周には、位置決め用の外面取部２５が形成されると共に、周方向に等間隔で３つの突起２６，２６・・が形成されている。
【００１３】
センサ管９内で流量センサ１３と分岐管１０との間には、図３にも示すように、入側ケース１５に隣接して水抜きガイド２１の支持リング２２が突起２６ごと圧入される圧入孔２７が形成されている。圧入孔２７の内面には、支持リング２２の外面取部２５が嵌合する内面取部２８が形成されている。よって、両面取部２５，２８の位置を合わせて支持リング２２を圧入孔２７に圧入すると、水抜きガイド２１は、図５及び図２に示すように、流量センサ１３の下側で筒部２３を下向きにした姿勢で固定され、センサ管９内では流量センサ１３と分岐管１０との間に挟持されて上下方向への移動が規制される。
【００１４】
この固定状態では、筒部２３に入側ケース１５の軸受部１７が嵌合し、支持リング２２内の整流板２４，２４・・は、入側ケース１５の固定羽根１９，１９・・と位相が一致する。こうして入側ケース１５及びこれと隣接する支持リング２２により、整流板２４，２４・・の間には、上流側から流量センサ１３への水又は湯の入口２９，２９・・が形成されることになる。
【００１５】
以上の如く構成された風呂給湯器１においては、風呂への湯張りを行う場合、給湯回路の給湯熱交換器及び給湯バーナで加熱された湯が出湯管３から落とし込み管５に流れ、落とし込み管５から戻り配管を介して浴槽に供給される。このときの流量を流量センサ１３でカウントして設定水量に達したら、落とし込み管５の電磁弁をコントローラが閉弁させて湯張りを終了する。
一方、凍結防止のために水抜きを行う場合、出湯管３の出湯口７に設けた水抜き栓８を外せば、出湯管３内の水が出湯口７から排出されると共に、落とし込み管５内の水も下方へ流れて出湯口７から排出される。
【００１６】
このとき、落とし込み管５内では、水抜きガイド２１の筒部２３が、入口２９を形成する支持リング２２よりも下方に突出しているので、入口２９と筒部２３の下端とに高低差が生じ、入口２９と筒部２３との間に表面張力による水の膜が形成されにくくなる（水の膜が斜めになるため表面張力が破壊される）。よって、空気が入口２９から流量センサ１３を通過して落とし込み管５の上側に進入でき、落とし込み管５内の水抜きを良好に行うことができる。
【００１７】
このように、上記形態の風呂給湯器１によれば、落とし込み管５内で流量センサ１３の入口２９に、入口２９より上流側に突出し、水抜き栓８の開栓による出湯管３からの水抜きの際に入口２９での水の貯留を防止する水ガイド部（筒部２３）を備えた水抜きガイド２１が設けられているので、流量センサ１３が上向きに設けられる場合であっても、水抜きを支障なく行うことができる。
特にここでは、筒部２３には、流量センサ１３への湯の流れを整流する整流部（整流板２４）が併設されているので、筒部２３を設けても流量センサ１３への湯の流れを乱すことがない。
【００１８】
また、水ガイド部を、流量センサ１３の中心と同軸で形成された筒部２３としているので、簡単な構造で水ガイド部を得ることができる。
さらに、整流部を、筒部２３から放射状に形成された複数の整流板２４，２４・・としているので、筒部２３を中心とした湯の流れの整流を好適に行うことができる。
【００１９】
なお、筒部の形状は上記形態に限らず、上流側に長くなっても短くなってもよいし、円筒でなく角筒であってもよい。また、水ガイド部としては筒部に限らず、上流側に突出する突起や舌片状とすることもできる。
特に、図６〜８に示す水抜きガイド２１Ａのように、水ガイド部を、流量センサ１３の中心との同軸位置を中心として放射状に形成された複数の羽根３０，３０・・とすることもできる。ここでは基端が整流板２４と同位相となる４枚の羽根３０，３０・・を、平面視が十字状となるように形成している。各羽根３０の基端中心には、入側ケース１５の軸受部１７が嵌合する凹部３１が形成されている。
【００２０】
この水抜きガイド２１Ａにおいても、両面取部２５，２８の位置を合わせて支持リング２２を圧入孔２７に圧入すると、水抜きガイド２１Ａは、流量センサ１３の下側で羽根３０，３０・・を下向きにした姿勢で固定され、センサ管９内では支持リング２２が流量センサ１３と分岐管１０との間に挟持されて上下方向への移動が規制される。
【００２１】
よって、凍結防止のために水抜きを行う場合、落とし込み管５内では、水抜きガイド２１Ａの各羽根３０，３０・・が、入口２９を形成する支持リング２２よりも下方に突出しているので、入口２９と羽根３０の下端とに高低差が生じ、入口２９と羽根３０との間に表面張力による水の膜が形成されにくくなる。よって、空気が入口２９から流量センサ１３を通過して落とし込み管５の上側に進入でき、流量センサ１３が上向きに設けられる場合であっても、落とし込み管５内の水抜きを良好に行うことができる。
【００２２】
この変更例によれば、水ガイド部を、流量センサ１３の中心との同軸位置を中心として放射状に形成された複数の羽根３０，３０・・としているので、羽根３０による整流作用も得ることができる。
特に、羽根３０を整流板２４と同じ位相で形成しているので、整流板２４と合わせてより良好な整流作用を得ることができる。
なお、この変更例においても、羽根の長さや数、形状等は上記形態に限らず、適宜変更可能である。
【００２３】
そして、上記形態及び変更例においては、水ガイド部となる筒部や羽根を備えた水抜きガイドを、流量センサと別体でセンサ管内に組み付けているが、流量センサの入側ケースに、筒部や羽根等の水ガイド部を一体に設けて（例えば軸受部に一体形成したり、別体の筒部等を軸受部や固定羽根に固着したり等）、入口での水の貯留を防止するようにしても差し支えない。
【符号の説明】
【００２４】
１・・風呂給湯器、２・・筐体、３・・出湯管、４・・接続部、５・・落とし込み管、７・・出湯口、８・・水抜き栓、９・・センサ管、１０・・分岐管、１３・・流量センサ、１４・・本体ケース、１５・・入側ケース、１６，１７・・軸受部、１８・・羽根車、２１，２１Ａ・・水抜きガイド、２２・・支持リング、２３・・筒部、２４・・整流板、２７・・圧入孔、２９・・入口、３０・・羽根。
【図１】
2019023531.tif 000003
【図２】
2019023531.tif 000004
【図３】
2019023531.tif 000005
【図４】
2019023531.tif 000006
【図５】
2019023531.tif 000007
【図６】
2019023531.tif 000008
【図７】
2019023531.tif 000009
【図８】
2019023531.tif 000010